(57)【要約】【課題】指定された地域の撮影画像中に存在する生物に関する情報を手軽に得られるようにする。【解決手段】地点ごとに撮像された複数の動物および植物を含む生物が含まれる撮影画像を記憶する画像記憶部、および複数の生物に関する生物情報を記憶する生物情報記憶部を含む記憶部と、ユーザが指定した地点の撮影画像を前記画像記憶部から取得して出力する画像出力部と、ユーザが撮影画像中において指定した前記生物の撮影画像を解析してその特徴を抽出する特徴抽出部と、前記特徴抽出部が抽出した特徴に基づいて、前記生物情報記憶部から当該特徴に該当する生物情報を抽出して出力する情報出力部とを具備する。【選択図】図３
2015080154.tif 000002
【特許請求の範囲】
【請求項１】
地点ごとに撮像された複数の動物および植物を含む生物が含まれる撮影画像を記憶する画像記憶部、および複数の前記生物に関する生物情報を記憶する生物情報記憶部を含む記憶部と、
ユーザが指定した地点の撮影画像を前記画像記憶部から取得して出力する画像出力部と、
ユーザが撮影画像中において指定した前記生物の撮影画像を解析してその特徴を抽出する特徴抽出部と、
前記特徴抽出部が抽出した特徴に基づいて、前記生物情報記憶部から当該特徴に該当する生物情報を抽出して出力する情報出力部とを具備することを特徴とする生物情報提供装置。
【請求項２】
請求項１に記載の生物情報提供装置において、前記画像出力部は、ユーザが地図上で指定した地域の撮影画像を取得して出力することを特徴とする生物情報提供装置。
【請求項３】
請求項１または２に記載の生物情報提供装置において、前記生物情報は、動物の鳴き声を録音した音声データを含むことを特徴とする生物情報提供装置。
【請求項４】
地点ごとに撮像された複数の動物および植物を含む生物が含まれる地点の撮影画像と、当該地点の撮影画像に存在する生物の画像を記憶する画像記憶部と、前記生物の画像に対応付けて当該生物に関する生物情報を記憶する生物情報記憶部を含む記憶部と、
ユーザが指定した地点の撮影画像と当該撮影画像中の生物の画像を前記画像記憶部から取得して出力する画像出力部と、
ユーザが撮影画像中において指定した前記生物の画像に対応する生物情報を前記記憶部より読み出す生物情報抽出部と、
前記生物情報抽出部が抽出した生物情報を出力する情報出力部とを具備することを特徴とする生物情報提供装置。
【請求項５】
請求項１〜４のいずれか１項に記載の生物情報提供装置と、
前記生物情報提供装置とネットワーク回線を介して通信可能なユーザ端末とを備え、
前記ユーザ端末は、前記地域を指定するとともに、前記撮影画像中における前記生物の撮影画像を指定するための操作部と、
前記画像出力部が出力した前記撮影画像を表示するとともに、前記情報出力部が出力した生物情報をユーザに報知する報知部とを有することを特徴とする生物情報提供システム。
【発明の詳細な説明】
【技術分野】
【０００１】
本発明は、ユーザに動物や植物等に関する情報を提供する生物情報提供装置および生物情報提供システムに関する。
【背景技術】
【０００２】
地図と撮影画像とをリンクさせ、表示された地図上の任意の地点における撮影画像を提供するサービスが知られている。また、この種の撮影画像を提供するシステムとして、特許文献１に記載されたものがある。
【先行技術文献】
【特許文献】
【０００３】
【特許文献１】特開２０１２−４２５７０号公報
【発明の概要】
【発明が解決しようとする課題】
【０００４】
しかしながら、表示されている撮影画像中の任意の撮影画像の情報を提供するサービスはない。
【課題を解決するための手段】
【０００５】
本発明に係る生物情報提供装置は、地点ごとに撮像された複数の動物および植物を含む生物が含まれる撮影画像を記憶する画像記憶部、および複数の生物に関する生物情報を記憶する生物情報記憶部を含む記憶部と、ユーザが指定した地点の撮影画像を画像記憶部から取得して出力する画像出力部と、ユーザが撮影画像中において指定した生物の撮影画像を解析してその特徴を抽出する特徴抽出部と、特徴抽出部が抽出した特徴に基づいて、生物情報記憶部から当該特徴に該当する生物情報を抽出して出力する情報出力部とを具備することを特徴とする。
本発明に係る生物情報提供装置は、地点ごとに撮像された複数の動物および植物を含む生物が含まれる地点の撮影画像と、当該地点の撮影画像に存在する生物の画像を記憶する画像記憶部と、生物の画像に対応付けて当該生物に関する生物情報を記憶する生物情報記憶部を含む記憶部と、ユーザが指定した地点の撮影画像と当該撮影画像中の生物の画像を画像記憶部から取得して出力する画像出力部と、ユーザが撮影画像中において指定した生物の画像に対応する生物情報を記憶部より読み出す生物情報抽出部と、生物情報抽出部が抽出した生物情報を出力する情報出力部とを具備することを特徴とする。
本発明に係る生物情報提供システムは、請求項１〜４のいずれか１項に記載の生物情報提供装置と、生物情報提供装置とネットワーク回線を介して通信可能なユーザ端末とを備え、ユーザ端末は、地域を指定するとともに、撮影画像中における生物の撮影画像を指定するための操作部と、画像出力部が出力した撮影画像を表示するとともに、情報出力部が出力した生物情報をユーザに報知する報知部とを有することを特徴とする。
【発明の効果】
【０００６】
本発明によれば、表示された画像中の生物に関する情報を手軽に知ることが可能となる。
【図面の簡単な説明】
【０００７】
【図１】本発明の一実施形態における生物情報提供システムの全体構成図。
【図２】生物情報提供サービスを実現するための手順例を示すフローチャート。
【図３】図２の生物情報出力処理の詳細を示すフローチャート。
【発明を実施するための形態】
【０００８】
図１〜図３により本発明の一実施形態を説明する。
図１は本実施形態における生物情報提供システムの概略構成図である。このシステムは、ユーザが興味を抱く地域や施設に存在する動植物などの生物の撮影画像を格納しておき、地図表示画面で指定した地点や施設に関する生物情報を提供する機能を有する。この生物情報提供システムは、情報提供元のサーバ（生物情報提供装置）１０と、各ユーザが保有する端末機（以下、ユーザ端末）２０とを含み、ユーザ端末２０は、インターネット等の通信回線網３０を介してサーバ１０とネットワーク接続可能である。
【０００９】
サーバ１０は、サーバ制御部１１、記憶部１２、通信部１３などを備える。記憶部１２は、複数のデータベース（地図データベース、画像データベース、図鑑データベース等）を格納するデータベース格納部１２Ａと、プログラムを格納するプログラム格納部１２Ｂとを含む。
【００１０】
ユーザ端末２０は、操作部２１、制御部２２、表示部２３、通信部２４、記憶部２５、音声再生部２６などを備える。例えばスマートフォン等の携帯端末や、据え置き型あるいはモバイル型のパーソナルコンピュータをユーザ端末２０として用いることができる。ユーザ端末２０とサーバ１０との間の通信は、通信部２４、通信回線網３０、通信部１３を介して行われる。
【００１１】
サーバ１０は、通信回線網３０を介してユーザ端末２０にデータベース格納部１２Ａの地図データベースより地図情報を提供するとともに、その地図上で指定された場所の撮影画像を画像データベースより提供する。ユーザは、ユーザ端末２０に予め組み込まれているＷｅｂブラウザ等のソフトウェアを用いて、地図や撮影画像を表示部２３に表示させることができる。すなわち、ユーザがユーザ端末２０の操作部２１で地図操作を行うと、その操作に応じた要求が通信回線網３０を介してサーバ１０に送信され、サーバ１０はその要求に応じた地図情報を送信する。ユーザ端末２０は、通信回線網３０を介してサーバ１０から送られてきた地図情報を受信し、地図として表示する。本実施形態のシステムは、世界中のあらゆる地域の地図を提供可能である。上記地図操作は、地域選択操作、縮尺率変更操作等の種々の操作を含む。
【００１２】
地図表示状態において、ユーザは、表示された地図上の任意の地点を操作部２１で選択し、地図上で選択された地点に関連してサーバに登録されている撮影画像の表示操作（画像表示操作）を行うことができる。画像表示操作がなされると、その操作に応じた要求が通信回線網３０を介してサーバ１０に送信され、サーバ１０は、その要求に応じた撮影画像を送信する。ユーザ端末２０は、通信回線網３０を介してサーバ１０から送られてきた撮影画像を受信し、地図上に表示する。
【００１３】
撮影画像は、予め車載カメラなどを用いて地点ごとに撮影されたもので、水平方向３６０度をカバーしている。サーバ１０が送信する撮影画像は、ユーザが地図上で選択した地点の周囲を撮影した画像、もしくは、その地点に関連した撮影画像であり、いずれも画像データベースに格納されている。
【００１４】
撮影画像が表示された状態において、ユーザは、画像変更操作を行うことができる。画像変更操作は、選択地点を変更する操作（前進・右左折操作など）や、水平あるいは垂直方向の角度変更操作、ズームアップ・ダウン操作等を含む。画像変更操作がなされると、その操作に応じた要求が通信回線網３０を介してサーバ１０に送信され、サーバ１０は、その要求に応じて撮影画像を送信する。ユーザ端末２０は、通信回線網３０を介してサーバ１０から新たに送られてきた撮影画像を受信し、それまで表示されていた画像に代えて表示し、撮影画像の表示位置や向きなどを変更する。
なお、画像表示操作と画像変更操作を以下では画像操作と呼ぶこととする。
【００１５】
なお、上記のような地図にリンクした撮影画像を提供するサービスとして、例えば、グーグル社のストリートビューが知られている。また、かかるサービスを実現するための装置あるいはシステムとして、例えば特許文献１（特開２０１２−４２５７０号公報）に記載された構成を用いることができる。地図サーバと撮影画像サーバとを別々に設けてもよい。
【００１６】
本実施形態のシステムで提供される撮影画像は、一般道路に沿って撮影された画像に限らず、例えば密林、平原、公園（動物公園、植物公園、野鳥公園、森林公園、国立公園、国定公園など）や、水中（海や湖の中）の画像をも含む。これらのケースでも、予め各地域を移動しながら撮影した撮影画像を地図にリンクさせ、それらの撮影画像をストリートビューと同様の操作感覚でユーザに提供できる。それらの撮影画像の多くには、その場所に生息（棲息）する様々な生物（動植物）が撮影画像として写っている。
【００１７】
表示された撮影画像の中でユーザが知りたい生物等が表示されている領域をユーザが選択（画像指定操作）すると、サーバ１０は、画像解析を行ってその領域内の撮影画像の特徴を抽出し、上述したデータベース格納部１２Ａのデータベースを参照する。抽出した特徴と合致するデータがデータベースにあった場合、すなわち、その撮影画像が生物であった場合、サーバ１０は、その生物に関する情報（名前、生態、鳴き声等）を提供する。
【００１８】
図２、図３のフローチャートを参照して、本システムの機能を更に詳細に説明する。
図２、図３のフローチャートに示すプログラムは、サーバ１０のプログラム格納部１２Ｂに予め記憶されたもので、サーバ制御部１１により読み出されて実行される。ユーザ端末２０とサーバ１０との通信接続は既に確立されているものとする。
【００１９】
サーバ制御部１１は、ステップＳ１でユーザ端末２０が操作されてユーザ端末２０からの要求を受信すると、その要求が地図操作によるものであるか否かをステップＳ２で判定する。ユーザ端末２０における地図操作は、上述したように地域選択操作、縮尺率変更操作等である。ステップＳ２が肯定されるとステップＳ３に進み、サーバ制御部１１は、受信した要求に適う地図情報をデータベース格納部１２Ａの地図データベースから取得し、ステップＳ４でその地図情報を要求元のユーザ端末２０に送信する。その後、ステップＳ１に戻る。この結果、ユーザ端末２０の制御部２２は、受信した地図情報を基に、地域選択、縮尺率変更などがなされた地図を表示部２３に表示する。
【００２０】
ステップＳ２が否定された場合はステップＳ５に進み、サーバ制御部１１は、受信した要求が画像操作によるものか否かを判定する。ユーザ端末２０におる画像操作は、上述した画像表示操作および画像変更操作のいずれかであり、前者は表示部２３に地図が表示されている状態で、後者は撮影画像が表示されている状態で受け付けられる。画像表示操作は地図上の任意の地点を選択した場合であり、画像変更操作は、選択地点を変更する操作（前進・右左折操作など）や、水平あるいは垂直方向の角度変更操作、ズームアップ・ダウン操作等である。
【００２１】
ステップＳ５が肯定されるとステップＳ６に進み、サーバ制御部１１は、受信した要求に適う撮影画像をデータベース格納部１２Ａの画像データベースから取得し、ステップＳ７でその撮影画像を要求元のユーザ端末２０に送信する。その後、ステップＳ１に戻る。ユーザ端末２０の制御部２２は、受信した撮影画像を表示部２３に表示し、撮影画像の表示位置や向きなどを変更する。
【００２２】
ステップＳ５が否定されるとステップＳ８に進み、サーバ制御部１１は、受信した要求が画像指定操作によるものか否かを判定する。ユーザ端末２０における画像指定操作は、撮影画像が表示されている状態で受付けられる。例えばカーソルを表示画像内の任意の位置に移動させて停止させる操作、あるいはその状態で何らかのアクションを行う（例えば、マウスクリックする）操作が画像指定操作である。いずれの場合も、操作完了時にカーソル位置を中心とした所定範囲内に存在する画像が指定撮影画像とみなされる。また、表示部２３にタッチパルを配したユーザ端末２０では、表示画像内の任意の位置をタッチすることで画像指定操作がなされるようにしてもよい。この場合は、タッチ位置を中心とした所定範囲内に存在する撮影画像が指定撮影画像である。
【００２３】
画像指定操作がなされるとステップＳ８が肯定され、サーバ制御部１１は、ステップＳ９で生物情報出力処理（後述する）を行い、ステップＳ１に戻る。ステップＳ８が否定された場合、すなわち上記以外の操作がなされた場合は、その操作に応じた処理をステップＳ１０で行い、ステップＳ１に戻る。
【００２４】
図３は生物情報出力処理（ステップＳ９）の詳細を示している。サーバ制御部１１は、ステップＳ９１において、指定撮影画像に対して画像解析を行う。まず、サーバ制御部１１は、ユーザ端末から送信されてきたカーソル位置を中心とした所定範囲の画像データを抽出する。次に、抽出された画像データから指定撮影画像の色や形状の特徴を抽出する。ステップＳ９２では、抽出した特徴情報に基づき、データベース格納部１２Ａの図鑑データベースから合致する生物情報を抽出する。
【００２５】
ここで、図鑑データベースには、複数種類の生物に関する生物情報が、生物の特徴に対応づけられて登録されている。したがって、抽出した撮影画像の特徴をキーとしてデータベース検索を行うことで、その生物に関する生物情報を抽出することができる。生物情報は、その生物の名前情報（種名、学名、分類等）や生態情報、鳴き声情報等を含む。その他、その生物を単独で撮影した画像（上記撮影画像とは別の画像）や、その画像撮影に用いられたカメラやレンズに関する情報（メーカー名、機種名等）、その生物をより詳しく紹介しているＷｅｂサイトのＵＲＬ、同書籍名等を生物情報に含めてもよい。
【００２６】
図鑑データベースに登録されている生物は、比較的大型、すなわち、ユーザ端末２０に表示された撮影画像内で確認できる程度の大きさの生物であり、例えば哺乳類、鳥類、魚類、爬虫類等の動物に加え、各種の植物をも網羅している。
【００２７】
ステップＳ９３では、図鑑データベースから合致する情報を抽出できたか否かを判定する。図鑑データベースには、生物に関する情報しか格納されていないので、指定撮影画像が非生物であった場合はステップＳ９３は否定されることになる。また、データベースに未登録の生物の場合も同様にステップＳ９３は否定される。ステップＳ９３が否定された場合はそのままリターンする。
【００２８】
一方、ステップＳ９３が肯定された場合、サーバ制御部１１は、抽出した生物情報をユーザ端末２０に送信する。ユーザ端末２０の制御部２２は、受信した生物情報のうち、鳴き声情報を除く情報を表示部２３に文字で表示する。生物情報に画像が含まれる場合は、その画像を表示する。情報の表示位置は、地図中の指定された撮影画像の近傍が望ましい。
【００２９】
またサーバ制御部１１は、ステップＳ９５において、抽出した生物情報に鳴き声情報が含まれるか否かを判定する。指定された撮影画像が動物の場合は鳴き声情報が含まれることがあり、この場合はステップＳ９６で鳴き声情報をユーザ端末２０に送信してリターンする。鳴き声情報は、その動物の実際の鳴き声を録音した音声ファイルであり、データベース格納部１２Ａの図鑑データベースに予め記憶されている。ユーザ端末２０の制御部２２は、音楽再生用のブラウザプラグイン等を用い、受信した音声ファイルを音声再生部２６にて再生する。ステップＳ９５が否定された場合はそのままリターンする。
【００３０】
本実施形態のシステムによれば、ユーザは、興味のある地域や海域の散策を撮影画像を通して手軽に疑似体験でき、また、そこに生息（棲息）する、あるいは飼育（栽培）されている様々な生物を撮影画像中に見ることができる。さらに、撮影画像中に名前の知らない生物や、生態情報を知りたい生物を見つけたら、その生物を画像上で選択するだけで、名前や生態情報、鳴き声等を手軽に確認できる。
【００３１】
なお、全世界を網羅した地図から好みの地域を選択可能な例を示したが、より狭い範囲のみを網羅したシステムでもよい。例えば国や地方自治体が、自身が管理する公園内の地図や、それらの地図にリンクした撮影画像、およびそこに棲息する（飼育されている）生物に関する情報をサーバ１０にて提供するシステムにも本発明を適用できる。したがって、サーバ１０は複数存在していてもよい。
【００３２】
（変形例）
（１）上記実施形態では、ユーザが指定した撮影画像の中の特定領域内の画像を解析し、その特徴を抽出して、抽出した結果に基づいて、図鑑データベース、すなわち、生物情報記憶部から生物情報を出力するようにした。しかし、画像解析をせずに所望の生物の情報を表示するようにしてもよい。すなわち、生物の画像と生物情報とを予め対応付けて記憶部に記憶しておき、生物の画像をユーザが指定した場合に当該画像と対応付けて記憶されている生物情報を読み出して出力するように構成しても良い。この場合は、指定撮影画像の解析に代えて、次のように構成する。
地図表示画像上でユーザが指定した地点にリンクされた撮影画像の中に、予め登録した生物の画像をサムネイル形式で表示する。ユーザがいずれかのサムネイル画像を指定するとそのサムネイル画像の生物情報がユーザ端末に表示される。
【００３３】
（２）上記実施形態では、一般道路、密林、平原、公園、水中等の全般地域の撮影画像を対象とした。しかし、地域を指定するメニューを設けて対象とする撮影画像を絞り込んでも良い。例えば平原のメニューや水中のメニューなどを設けて、これらのメニューから選択されたメニューで指定されている地域の撮影画像を出力するように構成する。参照したい地域の撮影画像を任意に絞り込むことができる。
【００３４】
（３）上記実施形態では、動物や植物などの生物全般の撮影画像を対象とした。しかし、生物の種類を指定するメニューを設けて対象とする撮影画像を絞り込んでも良い。例えば、哺乳類、鳥類、魚類などの夫々のメニューを設けて、これらのメニューから選択されたメニューで指定されている撮影画像を出力するように構成する。参照したい生物の撮影画像を任意に絞り込むことができる。
以上説明した生物情報提供システムは、例えば、カメラメーカが提供するポータルサイト内の一つのサービスメニューとして構築することができる。たとえば、「世界の動物図鑑」、「世界の植物図鑑」などのメニューを設け、プルダウン方式で世界中の動物園、植物園の中からいずれかの施設の画像を表示可能とし、その撮影画像に対して上述した処理により生物情報を提供することができる。
【符号の説明】
【００３５】
１０  サーバ
１１  サーバ制御部
１２  記憶部
１３  通信部
２０  ユーザ端末
２１  操作部
２２  制御部
２３  表示部
２４  通信部
２５  記憶部
２６  音声再生部
３０  通信回線網
【図１】
2015080154.tif 000003
【図２】
2015080154.tif 000004
【図３】
2015080154.tif 000005